(57)【要約】【課題】ＬＮＧの受払数量を決定するために影響する種々の要因を考慮して適正な受払数量を把握することが可能なＬＮＧの受払数量管理装置および受払数量管理方法を提供する。【解決手段】ＬＮＧタンク３０に残留するＬＮＧ残留量を測定する実測残高測定手段（液位測定器９３）、ＬＮＧ払出数量を測定する払出数量測定手段（払出数量測定器９４）、ＬＮＧ受入数量を測定する受入数量測定手段（発電用ＬＮＧ数量測定器９５，販売用ＬＮＧ数量測定器９６，積載用ＬＮＧ数量測定器９７）、ＬＮＧの物性値や測定機器の誤差等の補正要因に基づいて、ＬＮＧ残留量、ＬＮＧ払出数量、ＬＮＧ受入数量を補正する補正手段（制御部１０）を備える。比較手段（制御部１０）により払出数量と受入数量を比較し、比較値が所定の基準値を超えた場合に警告発生手段８０により警告を発生する。【選択図】  図１
2007182936.tif 000002
【特許請求の範囲】
【請求項１】
ＬＮＧを貯蔵するＬＮＧタンク（３０）を備え、該ＬＮＧタンク（３０）に貯蔵されたＬＮＧを払い出す際に受払数量を測定して管理するための装置であって、
前記ＬＮＧタンク（３０）に残留するＬＮＧ残留量を測定する実測残高測定手段（９３）と、
前記ＬＮＧタンク（３０）から払い出すＬＮＧ払出数量を測定する払出数量測定手段（９４）と、
前記ＬＮＧタンク（３０）から受け入れるＬＮＧ受入数量を測定する受入数量測定手段（９５，９６，９７）と、
前記ＬＮＧタンク（３０）に貯蔵されたＬＮＧの物性値や、前記実測残高測定手段（９３）、前記払出数量測定手段（９４）、および前記受入数量測定手段（９５，９６，９７）を構成する機器の測定誤差等の補正要因に基づいて、前記実測残高測定手段（９３）で測定したＬＮＧ残留量、前記払出数量測定手段（９４）で測定したＬＮＧ払出数量、および前記受入数量測定手段（９５，９６，９７）で測定したＬＮＧ受入数量を補正する補正手段（１０）と、を備えたことを特徴とするＬＮＧの受払数量管理装置。
【請求項２】
前記補正手段（１０）により補正した後のＬＮＧ払出数量とＬＮＧ受入数量とを比較する比較手段（１０）を備えたことを特徴とする請求項１に記載のＬＮＧの受払数量管理装置。
【請求項３】
前記比較手段（１０）における比較結果が所定の基準値を超えた場合に警告を発生する警告発生手段（８０）を備えたことを特徴とする請求項２に記載のＬＮＧの受払数量管理装置。
【請求項４】
前記ＬＮＧタンク（３０）からＬＮＧを受け入れる複数のライン（１０２，１０３，１０４）を備え、
前記受入数量測定手段（９５，９６，９７）は、前記ライン（１０２，１０３，１０４）毎に設けられていることを特徴とする請求項１〜３のいずれか１項に記載のＬＮＧの受払数量管理装置。
【請求項５】
ＬＮＧを貯蔵するＬＮＧタンク（３０）を備え、該ＬＮＧタンク（３０）に貯蔵されたＬＮＧを払い出す際に受払数量を測定して管理するための方法であって、
前記ＬＮＧタンク（３０）から払い出すＬＮＧ払出数量を測定するステップ（Ｓ１）と、
前記ＬＮＧタンク（３０）から受け入れるＬＮＧ受入数量を測定するステップ（Ｓ２）と、
ＬＮＧの物性値や測定誤差等の補正要因に基づいて、測定したＬＮＧ払出数量およびＬＮＧ受入数量を補正するステップ（Ｓ３）と、を含むことを特徴とするＬＮＧの受払数量管理方法。
【請求項６】
補正した後のＬＮＧ払出数量とＬＮＧ受入数量とを比較するステップ（Ｓ４）を含むことを特徴とする請求項５に記載のＬＮＧの受払数量管理方法。
【請求項７】
補正した後のＬＮＧ払出数量とＬＮＧ受入数量との比較結果が所定の基準値を超えた場合に警告を発生するステップ（Ｓ５）を含むことを特徴とする請求項６に記載のＬＮＧの受払数量管理方法。
【発明の詳細な説明】
【技術分野】
【０００１】
本発明は、ＬＮＧの受払数量管理装置および受払数量管理方法に係り、特に発電設備等に併設されたＬＮＧタンクから、発電用ＬＮＧ、販売用ＬＮＧ等を受け払いする際に、適正な受払数量を管理することが可能なＬＮＧの受払数量管理装置および受払数量管理方法に関するものである。
【背景技術】
【０００２】
従来より、発電プラント等で使用されるＬＮＧは、オーストラリアやカタール等の生産地から専用のＬＮＧ船を用いて運搬され、発電プラント等に併設されたＬＮＧタンクに貯蔵される。
また、ＬＮＧタンクに貯蔵されたＬＮＧは、発電プラントで使用するだけではなく、都市ガスとして消費者に供給されたり、タンクローリーを用いて他の設備に移送されたりする。
【０００３】
ところで、ＬＮＧタンクに貯蔵されたＬＮＧを受け払いする際に、測定機器の誤差や払出ラインでのリーク等、種々の原因により払出数量と受入数量とに齟齬が生じる場合がある。
ＬＮＧを都市ガス等として使用するため他社に売り渡している場合に、このような齟齬が生じると、売り主と買い主との間における信頼関係が損なわれることがある。また、自社のＬＮＧタンクに貯蔵したＬＮＧを自社の発電プラントのみで使用する場合にも、払出数量と受入数量とを的確に把握して管理しなければならないことにかわりはない。
【０００４】
そこで、従来より、ＬＮＧタンクに貯蔵されたＬＮＧの受払数量を管理するための技術が提案されている。例えば、特許文献１の特開２００３−１３０２９６号「ＬＮＧ管理システム及びその課金システム」に、ＬＮＧを貯蔵するタンクに複数の業者のＬＮＧを貯蔵した場合に、ＬＮＧの受払数量を適切に管理する技術が種々提案されている。
【０００５】
この特許文献１に記載されている「ＬＮＧ管理システム及び課金システム」は、ＬＮＧを貯蔵するタンクと、貯蔵タンクに蓄えられたＬＮＧを管理する中央制御コンピュータとを備えている。そして、中央制御コンピュータは、受け入れたＬＮＧの保管量について実液量を基準に管理し、受け入れたＬＮＧを貯蔵タンクから払い出す払出量については基準液量を基準に管理するとともに、これらのデータに基づいて課金を行っている。
【０００６】
【特許文献１】特開２００３−１３０２９６号公報
【発明の開示】
【発明が解決しようとする課題】
【０００７】
ところで、ＬＮＧは産地によりその組成が異なり、また外気温に応じて体積が変化し、さらには測定装置の機器誤差の影響を受けるため、従来の受払方法を用いたのでは正確な受払数量を把握することは困難であった。
この点、上述した特許文献１に記載された「ＬＮＧ管理システム及び課金システム」では、実液量や基準液量に基づいてＬＮＧの受払数量を管理しているものの、実液量や基準液量を測定するための装置の機器誤差等、受払数量の把握に必要な種々の要因を考慮していないため、ＬＮＧの受払数量を正確に把握して適切に管理することができるとは言い難かった。
【０００８】
本発明は、上述した問題点を解決するために創案されたものである。すなわち本発明の目的は、ＬＮＧの受払数量を決定するために影響する種々の要因を考慮して適正な受払数量を把握することが可能なＬＮＧの受払数量管理装置および受払数量管理方法を提供することにある。
【課題を解決するための手段】
【０００９】
本発明によれば、ＬＮＧを貯蔵するＬＮＧタンク（３０）を備え、該ＬＮＧタンク（３０）に貯蔵されたＬＮＧを払い出す際に受払数量を測定して管理するための装置であって、前記ＬＮＧタンク（３０）に残留するＬＮＧ残留量を測定する実測残高測定手段（液位測定器９３）と、前記ＬＮＧタンク（３０）から払い出すＬＮＧ払出数量を測定する払出数量測定手段（払出数量測定器９４）と、前記ＬＮＧタンク（３０）から受け入れるＬＮＧ受入数量を測定する受入数量測定手段（発電用ＬＮＧ数量測定器９５，販売用ＬＮＧ数量測定器９６，積載用ＬＮＧ数量測定器９７）と、前記ＬＮＧタンク（３０）に貯蔵されたＬＮＧの物性値や、前記実測残高測定手段（液位測定器９３）、前記払出数量測定手段（払出数量測定器９４）、および前記受入数量測定手段（発電用ＬＮＧ数量測定器９５，販売用ＬＮＧ数量測定器９６，積載用ＬＮＧ数量測定器９７）を構成する機器の測定誤差等の補正要因に基づいて、前記実測残高測定手段（液位測定器９３）で測定したＬＮＧ残留量、前記払出数量測定手段（払出数量測定器９４）で測定したＬＮＧ払出数量、および前記受入数量測定手段（発電用ＬＮＧ数量測定器９５，販売用ＬＮＧ数量測定器９６，積載用ＬＮＧ数量測定器９７）で測定したＬＮＧ受入数量を補正する補正手段（制御部１０）とを備えたことを特徴とするＬＮＧの受払数量管理装置が提供される。
【００１０】
また、前記ＬＮＧの受払数量管理装置において、前記補正手段（制御部１０）により補正した後のＬＮＧ払出数量とＬＮＧ受入数量とを比較する比較手段（制御部１０）を備えることが好ましい。
【００１１】
また、前記ＬＮＧの受払数量管理装置において、比較手段（制御部１０）における比較結果が所定の基準値を超えた場合に警告を発生する警告発生手段（８０）を備えることが好ましい。
【００１２】
また、前記ＬＮＧの受払数量管理装置において、前記ＬＮＧタンク（３０）からＬＮＧを受け入れる複数のライン（発電用ＬＮＧ払出ライン１０２，販売用ＬＮＧ払出ライン１０３，積載用ＬＮＧ払出ライン１０４）を備え、前記受入数量測定手段（発電用ＬＮＧ数量測定器９５，販売用ＬＮＧ数量測定器９６，積載用ＬＮＧ数量測定器９７）は、前記ライン（発電用ＬＮＧ払出ライン１０２，販売用ＬＮＧ払出ライン１０３，積載用ＬＮＧ払出ライン１０４）毎に設けることが可能である。
【００１３】
また、本発明によれば、ＬＮＧを貯蔵するＬＮＧタンク（３０）を備え、該ＬＮＧタンク（３０）に貯蔵されたＬＮＧを払い出す際に受払数量を測定して管理するための方法であって、前記ＬＮＧタンク（３０）から払い出すＬＮＧ払出数量を測定するステップ（Ｓ１）と、前記ＬＮＧタンク（３０）から受け入れるＬＮＧ受入数量を測定するステップ（Ｓ２）と、ＬＮＧの物性値や測定誤差等の補正要因に基づいて、測定したＬＮＧ払出数量およびＬＮＧ受入数量を補正するステップ（Ｓ３）とを含むことを特徴とするＬＮＧの受払数量管理方法が提供される。
【００１４】
また、前記ＬＮＧの受払数量管理方法において、補正した後のＬＮＧ払出数量とＬＮＧ受入数量とを比較するステップ（Ｓ４）を含むことが好ましい。
【００１５】
また、前記ＬＮＧの受払数量管理方法において、補正した後のＬＮＧ払出数量とＬＮＧ受入数量との比較結果が所定の基準値を超えた場合に警告を発生するステップ（Ｓ５）を含むことが好ましい。
【発明の効果】
【００１６】
本発明のＬＮＧの受払数量管理装置および受払数量管理方法では、ＬＮＧの物性値や測定誤差等の補正要因に基づいて、測定したＬＮＧ残留量、ＬＮＧ払出数量、およびＬＮＧ受入数量を補正することにより、払出数量と受入数量とを的確に把握して管理することが可能となる。
【００１７】
また、補正した後のＬＮＧ払出数量とＬＮＧ受入数量とを比較することにより、売り主側および買い主側の双方で受払数量を把握することができ、売り主と買い主との間における信頼関係を向上させることが可能となる。
【００１８】
また、補正後のＬＮＧ払出数量とＬＮＧ受入数量との比較結果が所定の基準値を超えた場合に警告を発生することにより、このような誤差が発生したことに対する迅速な対応が可能となる。
【００１９】
また、受入数量測定手段（発電用ＬＮＧ数量測定器９５，販売用ＬＮＧ数量測定器９６，積載用ＬＮＧ数量測定器９７）を、ＬＮＧタンク（３０）からＬＮＧを受け入れる複数のライン（発電用ＬＮＧ払出ライン１０２，販売用ＬＮＧ払出ライン１０３，積載用ＬＮＧ払出ライン１０４）毎に設けることにより、各ライン（発電用ＬＮＧ払出ライン１０２，販売用ＬＮＧ払出ライン１０３，積載用ＬＮＧ払出ライン１０４）における適正な受払数量を詳細に把握して管理することが可能となる。
【発明を実施するための最良の形態】
【００２０】
本発明のＬＮＧの受払数量管理装置および受払数量管理方法は、ＬＮＧタンクに貯蔵されたＬＮＧの物性値や、実測残高測定手段（例えばＬＮＧタンクに設けた液位測定器）、払出数量測定手段（例えばＬＮＧタンクの下流側に設けた払出数量測定器）、および受入数量測定手段（例えばＬＮＧ払出ラインに設けた発電用ＬＮＧ数量測定器、販売用ＬＮＧ数量測定器、積載用ＬＮＧ数量測定器）を構成する機器の測定誤差等の補正要因に基づいて、実測残高測定手段で測定したＬＮＧ残留量、払出数量測定手段で測定したＬＮＧ払出数量、および受入数量測定手段で測定したＬＮＧ受入数量を補正することにより、ＬＮＧの受払数量を決定するために影響する種々の要因を考慮して適正な受払数量を把握することができるようにしている。
【００２１】
具体的には、発電プラントに隣接してＬＮＧタンクを設置し、ＬＮＧ船で運搬してきたＬＮＧをこのＬＮＧタンクに貯蔵する。そして、必要に応じてＬＮＧを発電プラントへ払い出したり、都市ガス用途への販売のために払い出したり、その他の用途への販売のためにタンクローリーに積載したりする。この際、ＬＮＧタンクに貯蔵されたＬＮＧの実測残高、各ラインに対する払出数量、各ライン側からみた受入数量を計器を用いて測定し、測定値を所定の演算式に基づいて補正する。
【実施例１】
【００２２】
以下、本発明の好ましい実施の形態を図面を参照して説明する。
図１は、本発明の実施例１に係るＬＮＧの受払数量管理装置が設置されるＬＮＧ受払施設の概略構成を示す説明図である。
【００２３】
本発明の実施例１に係るＬＮＧの受払数量管理装置が設置されるＬＮＧ受払施設は、図１に示すように、ＬＮＧ船２０で運搬してきたＬＮＧを貯蔵するためのＬＮＧタンク３０、発電プラント４０、都市ガス供給施設５０、およびタンクローリー６０への積載設備を備えている。
【００２４】
ＬＮＧ船２０とＬＮＧタンク３０とはＬＮＧ受入ライン１０１により連通接続されており、ＬＮＧタンク３０と発電プラント４０とは発電用ＬＮＧ払出ライン１０２を介して連通接続されており、ＬＮＧタンク３０と都市ガス供給施設５０とは販売用ＬＮＧ払出ライン１０３を介して連通接続されており、ＬＮＧタンク３０とタンクローリー６０とは積載用ＬＮＧ払出ライン１０４を介して連通接続されている。なお、発電用ＬＮＧ払出ライン１０２の途中には、ＬＮＧを気化させるための気化器７０が設置されている。
【００２５】
各ライン１０１，１０２，１０３，１０４には、それぞれＬＮＧ数量を測定するための測定器が設置されている。すなわち、ＬＮＧ受入ライン１０１には、ＬＮＧ船２０から払い出すＬＮＧ数量を測定するためのＬＮＧ船側測定器９１と、ＬＮＧタンク３０へ受け入れるＬＮＧ数量を測定するためのＬＮＧタンク側測定器９２とが設置されている。
【００２６】
また、ＬＮＧタンク３０内には、ＬＮＧタンク３０内のＬＮＧ液位を測定するための液位測定器９３が設置されている。また、ＬＮＧタンク３０の出口側には、発電用ＬＮＧ払出ライン１０２、販売用ＬＮＧ払出ライン１０３、および積載用ＬＮＧ払出ライン１０４へ払い出すＬＮＧ数量を測定するための払出数量測定器９４が設置されている。
【００２７】
また、発電用ＬＮＧ払出ライン１０２の発電プラント４０側には、発電プラント４０が受け入れるＬＮＧ数量を測定するための発電用ＬＮＧ数量測定器９５が設置されており、販売用ＬＮＧ払出ライン１０３の都市ガス供給施設５０側には、都市ガス供給施設５０が受け入れるＬＮＧ量を測定するための販売用ＬＮＧ数量測定器９６が設置されている。
なお、タンクローリー６０が受け入れるＬＮＧ量は、タンクローリー６０に設けられた積載用ＬＮＧ数量測定器９７により測定される。
【００２８】
また、ＬＮＧ船側測定器９１、ＬＮＧタンク側測定器９２、液位測定器９３、払出数量測定器９４、発電用ＬＮＧ数量測定器９５、販売用ＬＮＧ数量測定器９６、および積載用ＬＮＧ数量測定器９７には、制御部１０が接続されている。この制御部１０は、実施例１に係るＬＮＧの受払数量管理装置の中核をなす装置で、例えば、コンピュータおよびその周辺機器からなり、各測定器からの測定信号を受信し、受信した測定信号に基づいて補正演算を行うことにより、各ラインにおける適正な受払数量を求めるようになっている。
【００２９】
また、制御部１０には、補正した後のＬＮＧ残留量、ＬＮＧ払出数量、およびＬＮＧ受入数量とを比較する機能を持たせることが好ましい。
さらに、ＬＮＧ払出数量とＬＮＧ受入数量との比較結果が所定の基準値を超えた場合に、制御部１０に接続されたＣＲＴ表示器等の表示画面により警告表示を行ったり、スピーカ等から警告音を発生することが好ましい。この場合、ＣＲＴ表示器やスピーカ等が警告発生手段８０の構成要素として機能する。
【００３０】
実施例１では、制御部１０を構成するＣＰＵ等がアプリケーションプログラムに従って動作することにより、ＬＮＧタンク３０に貯蔵されたＬＮＧの物性値や、各測定機器の測定誤差等の補正要因に基づいて、実際に測定したＬＮＧ残留量、ＬＮＧ払出数量、およびＬＮＧ受入数量を補正する補正手段と、この補正手段により補正した後のＬＮＧ払出数量とＬＮＧ受入数量とを比較するための比較演算手段とが構成される。
【００３１】
次に、制御部１０で行われる補正演算について説明する。
なお、以下の演算式において、ＬＮＧの各成分の物性値は、例えば「英国石油協会発行：ＩＰ、２５１／７６」、「米国商務省発行：National Bureau of Standards Interagency Report 77-867」の記載に基づいて求められる。また、ＬＮＧの体積補正は、「米国商務省発行：National Bureau of Standards Interagency Report 77-867」の記載に基づいて行われる。また、ＬＮＧの各成分のモル分率は、ガスクロマトグラフを用いた分析により求められる。
【００３２】
ＬＮＧ船２０からＬＮＧタンク３０へ貯蔵されるＬＮＧ量は、ＬＮＧ船２０からの受入全発熱量、ＬＮＧ船２０からの受入質量、およびＬＮＧ船２０からの受入容量として把握される。ＬＮＧ船２０からの受入全発熱量は下記式（１）により求められ、ＬＮＧ船２０からの受入質量は下記式（２）〜式（５）により求められ、ＬＮＧ船２０からの受入容量は下記式（６）〜式（８）により求められる。
【００３３】
【数１】
2007182936.tif 000003
【００３４】
【数２】
2007182936.tif 000004
【００３５】
【数３】
2007182936.tif 000005
【００３６】
【数４】
2007182936.tif 000006
【００３７】
【数５】
2007182936.tif 000007
【００３８】
【数６】
2007182936.tif 000008
【００３９】
【数７】
2007182936.tif 000009
【００４０】
【数８】
2007182936.tif 000010
【００４１】
ＬＮＧタンク３０から発電プラント４０へ払い出されるＬＮＧ量は、発電用払出全発熱量、発電用払出質量、および発電用払出容量として把握される。発電用払出全発熱量は下記式（９）〜式（１１）により求められ、発電用払出質量は下記式（１２）および式（１３）により求められ、発電用払出容量は下記式（１４）および式（１５）により求められる。
【００４２】
【数９】
2007182936.tif 000011
【００４３】
【数１０】
2007182936.tif 000012
【００４４】
【数１１】
2007182936.tif 000013
【００４５】
【数１２】
2007182936.tif 000014
【００４６】
【数１３】
2007182936.tif 000015
【００４７】
【数１４】
2007182936.tif 000016
【００４８】
【数１５】
2007182936.tif 000017
【００４９】
ＬＮＧタンク３０から都市ガス供給施設５０へ払い出されるＬＮＧ量は、販売用払出液全熱量、販売用払出液容量、および販売用払出液質量として把握される。販売用払出液容量は下記式（１６）および式（１７）により求められ、販売用払出液質量は下記式（１８）〜式（２１）により求められる。
【００５０】
【数１６】
2007182936.tif 000018
【００５１】
【数１７】
2007182936.tif 000019
【００５２】
【数１８】
2007182936.tif 000020
【００５３】
【数１９】
2007182936.tif 000021
【００５４】
【数２０】
2007182936.tif 000022
【００５５】
【数２１】
2007182936.tif 000023
【００５６】
販売用払出液全発熱量は、下記式（２２）〜式（２５）により求められる。
販売用払出液全発熱量は、式（２２）と（２３）により、１時間あたりの販売用払出液全発熱量の当日累計値とする。１時間あたりの販売用払出液全発熱量は、１時間あたりの販売用気化器供給液全発熱量から、１時間あたりの販売用気化器戻り液全発熱量を差し引いたものとする。
【００５７】
【数２２】
2007182936.tif 000024
【００５８】
【数２３】
2007182936.tif 000025
【００５９】
1時間あたりの販売用気化器供給液全発熱量は、式（２４）により1時間あたりの販売用気化器供給液質量を、当該1時間の販売用払出液発熱量（質量基準）により全発熱量換算した値とする。 
【００６０】
【数２４】
2007182936.tif 000026
【００６１】
１時間あたりの販売用気化器戻り液全発熱量は、式（２５）により１時間あたりの販売用気化器戻り液質量を、当該1時間の販売用払出液発熱量（質量基準）により全発熱量換算した値とする。
【００６２】
【数２５】
2007182936.tif 000027
【００６３】
ＬＮＧタンク３０からタンクローリー６０へ払い出されるＬＮＧ量は、積載用払出液質量、積載用払出液全発熱量、および積載用払出液容量として把握される。積載用払出液質量は下記式（２６）および式（２７）により求められ、積載用払出液全発熱量は下記式（２８）および式（２９）により求められ、積載用払出液容量は下記式（３０）および式（３１）により求められる。
【００６４】
【数２６】
2007182936.tif 000028
【００６５】
【数２７】
2007182936.tif 000029
【００６６】
【数２８】
2007182936.tif 000030
【００６７】
【数２９】
2007182936.tif 000031
【００６８】
【数３０】
2007182936.tif 000032
【００６９】
【数３１】
2007182936.tif 000033
【００７０】
制御部１０では、適正な払出数量を算定するために、ＬＮＧの払出全発熱量、払出質量、および払出容量の補正が行われる。払出全発熱量の補正値は下記式（３２）により求められ、払出質量の補正値は下記式（３３）により求められ、払出容量の補正値は下記式（２４）により求められる。なお、特殊払出数量とは、ＬＮＧ関係設備の工事または定期検査等において払い出されたＬＮＧ数量のことをいう。
【００７１】
【数３２】
2007182936.tif 000034
【００７２】
【数３３】
2007182936.tif 000035
【００７３】
【数３４】
2007182936.tif 000036
【００７４】
実測残高数量は、実測残高全発熱量、実測残高質量、および実測残高容量として把握される。実測残高全発熱量は下記式（３５）〜式（４０）により求められ、実質残高質量は下記式（４１）〜式（４３）により求められ、実質残高容量は下記式（３４）および式（３５）により求められる。
【００７５】
【数３５】
2007182936.tif 000037
【００７６】
【数３６】
2007182936.tif 000038
【００７７】
【数３７】
2007182936.tif 000039
【００７８】
【数３８】
2007182936.tif 000040
【００７９】
【数３９】
2007182936.tif 000041
【００８０】
【数４０】
2007182936.tif 000042
【００８１】
【数４１】
2007182936.tif 000043
【００８２】
【数４２】
2007182936.tif 000044
【００８３】
【数４３】
2007182936.tif 000045
【００８４】
【数４４】
2007182936.tif 000046
【００８５】
【数４５】
2007182936.tif 000047
【００８６】
次に、実施例１に係るＬＮＧの受払数量管理装置を用いて受払数量を管理する手順を説明する。図２は、実施例１のＬＮＧの受払数量管理装置を用いて受払数量を管理する手順を示すフローチャートである。
【００８７】
なお、以下の説明において、「払出」とは、ＬＮＧタンク３０から発電プラント４０、都市ガス供給施設５０、およびタンクローリー６０へ向かってＬＮＧを払い出すことを意味し、「受入」とは、発電プラント４０、都市ガス供給施設５０、およびタンクローリー６０がＬＮＧタンク３０からＬＮＧを受け入れることを意味する。
【００８８】
実施例１のＬＮＧの受払数量管理装置を用いて受払数量を管理するには、図２に示すように、まず、払出数量測定器９４を用いて払出数量を測定する（Ｓ１）。続いて、発電用ＬＮＧ数量測定器９５、販売用ＬＮＧ数量測定器９６、および積載用ＬＮＧ数量測定器９７を用いて受入数量を測定する（Ｓ２）。
【００８９】
続いて、補正手段により実測値を換算および補正し（Ｓ３）、補正後の払出数量と受入数量とを比較する（Ｓ４）。ここで、補正後の払出数量と受入数量との差が所定の基準値以上である場合には、ＣＲＴ表示器の表示画面にその旨を表示する等してワーニングを行う（Ｓ５）。この場合には、適正な受払数量となるように補正処理（Ｓ６）を行うことが好ましい。
【００９０】
一方、補正後の払出数量と受入数量との差が所定の基準値未満である場合には、実測値および補正値等をハードディスク記憶装置等からなる記憶手段に記憶して、受払数量の管理を行う（Ｓ７）。
【００９１】
このように、実施例１のＬＮＧの受払数量管理装置によれば、ＬＮＧの受払数量を決定するために影響する種々の要因を考慮して適正な受払数量を把握して管理することが可能となる。
上述した例では、実測残高数量を用いずに、補正手段における補正、および払出数量と受入数量との比較を行っているが、この際、補正要因および比較要因として実測残高数量を加えてもよい。
【００９２】
なお、上述した例では、ＬＮＧ船２０で運搬してきたＬＮＧを貯蔵するためのＬＮＧタンク３０、発電プラント４０、都市ガス供給施設５０、およびタンクローリー６０への積載設備等を備えたＬＮＧ受払設備に用いるＬＮＧの受払数量管理装置について詳述したが、他の運搬手段によりＬＮＧを運搬したり、ＬＮＧを他の施設に販売したりといった種々の形態にすることができ、本発明の要旨を逸脱しない範囲で種々変更できることは勿論である。
【産業上の利用可能性】
【００９３】
本発明のＬＮＧの受払数量管理装置および受払数量管理方法は、主に発電プラント４０に併設されたＬＮＧ受払施設における受払数量管理装置および受払数量管理方法として利用できるが、ＬＮＧタンク３０を備えるとともに、このＬＮＧタンク３０に貯蔵したＬＮＧを払い出すようにした他のＬＮＧ受払施設にも利用することができる。
【図面の簡単な説明】
【００９４】
【図１】本発明の実施例１に係るＬＮＧの受払数量管理装置が設置されるＬＮＧ受払施設の概略構成を示す説明図である。
【図２】本発明の実施例１に係るＬＮＧの受払数量管理装置を用いて受払数量を管理する手順を示すフローチャートである。
【符号の説明】
【００９５】
１０  制御部
２０  ＬＮＧ船
３０  ＬＮＧタンク
４０  発電プラント
５０  都市ガス供給施設
６０  タンクローリー
７０  気化器
８０  警告発生手段
９１  ＬＮＧ船側測定器
９２  ＬＮＧタンク側測定器
９３  液位測定器
９４  払出数量測定器
９５  発電用ＬＮＧ数量測定器
９６  販売用ＬＮＧ数量測定器
９７  積載用ＬＮＧ数量測定器
１０１  ＬＮＧ受入ライン
１０２  発電用ＬＮＧ払出ライン
１０３  販売用ＬＮＧ払出ライン
１０４  積載用ＬＮＧ払出ライン
【図１】
2007182936.tif 000048
【図２】
2007182936.tif 000049